(57)【要約】【課題】プリントヘッドユニットを容易に交換できるようにする。【解決手段】実施形態のプリンタ１０は、連続紙Ｓに印刷するプリンタである。プリンタ１０は、連続紙Ｓの幅方向に平行に配置されたシャフト１９と、プリンタ１０に着脱可能に固定されるプリントヘッドユニット１７と、を備える。プリントヘッドユニット１７は、プリンタ１０の内部に係止される係止部１７ｂ１と、シャフト１９に引っ掛けられる掛止部１７ｂ２と、を備える。プリントヘッドユニット１７は、係止部１７ｂ１の係止が解除された場合には、用紙搬送方向の下流側端部Ｅ１の向きを変えるようにシャフト１９を軸に転回可能である。【選択図】図１１
2018118399.tif 000002
【特許請求の範囲】
【請求項１】
連続紙に印刷するプリンタであって、
前記連続紙の幅方向に平行に配置されたシャフトと、
前記プリンタに着脱可能に固定されるプリントヘッドユニットと、を備え、
前記プリントヘッドユニットは、前記プリンタの内部に係止される係止部と、前記シャフトに引っ掛けられる掛止部と、を備え、前記係止部の係止が解除された場合には、用紙搬送方向の下流側端部の向きを変えるように前記シャフトを軸に転回可能である、
プリンタ。
【請求項２】
前記連続紙を排出する排出口と、
前記排出口の一方の側に位置する開口を覆う開閉可能なカバーと、を備え、
前記プリントヘッドユニットは、前記下流側端部が前記排出口の方向を向くよう固定され、前記係止部の係止が解除された場合には、前記下流側端部が前記開口の方向を向くよう前記シャフトを軸に転回する、
請求項１に記載のプリンタ。
【請求項３】
前記開口からの前記プリントヘッドユニットの挿入をガイドする挿入ガイド、を備える、
請求項２に記載のプリンタ。
【請求項４】
用紙搬送路を挟んで前記ヘッドユニットと対向する位置に配置されたローラ、を備え、
前記プリントヘッドユニットは、前記係止部の係止が解除された場合には、前記ローラの設置位置に向け傾倒し、
前記ローラは着脱可能である、
請求項１乃至３のいずれか１項に記載のプリンタ。
【請求項５】
前記プリントヘッドユニットに向けて前記用紙をガイドする用紙ガイド、を備え、
前記プリントヘッドユニットは、前記係止部の係止が解除された場合には、前記用紙ガイドの設置位置に向け傾倒し、
前記用紙ガイドは、前記プリントヘッドユニットの傾倒場所から退避するよう回動可能である、
請求項１乃至４のいずれか１項に記載のプリンタ。
【発明の詳細な説明】
【技術分野】
【０００１】
本発明の実施形態は、プリンタに関する。
【背景技術】
【０００２】
プリンタはサーマルヘッド等のプリントヘッドを備える。一般的に、プリントヘッドは、プリントヘッドをプリンタに固定するための固定部材（例えば、金具、基板）に固定されてユニット状となっている。以下の説明では、プリントヘッドが固定されたユニットをプリントヘッドユニットという。
【先行技術文献】
【特許文献】
【０００３】
【特許文献１】特開平８−３９８９１号公報
【特許文献２】特開平７−２５６９７７号公報
【特許文献３】特開平７−８１１７９号公報
【発明の概要】
【発明が解決しようとする課題】
【０００４】
プリントヘッドの故障或いは寿命によりプリンタが使用不能に陥る場合がある。この場合、プリントヘッドユニットを含めたプリントエンジン全体の交換により、プリンタは元の状態に戻る。しかしながら、プリンタのランニングコストを考えると、プリントエンジン全体ではなく、プリントヘッドユニットのみ交換できることが望ましい。しかしながら、プリントヘッドユニットは、通常、プリンタ内部深くに位置しているので、プリントヘッドユニットのみの交換は容易ではない。
【０００５】
本発明が解決しようとする課題は、プリントヘッドユニットを容易に交換できるようにすることである。
【課題を解決するための手段】
【０００６】
実施形態のプリンタは、連続紙に印刷するプリンタである。プリンタは、連続紙の幅方向に平行に配置されたシャフトと、プリンタに着脱可能に固定されるプリントヘッドユニットと、を備える。プリントヘッドユニットは、プリンタの内部に係止される係止部と、シャフトに引っ掛けられる掛止部と、を備える。プリントヘッドユニットは、係止部の係止が解除された場合には、用紙搬送方向の下流側端部の向きを変えるようにシャフトを軸に転回可能である。
【図面の簡単な説明】
【０００７】
【図１】実施形態のプリンタを備える商品情報処理装置を示す斜視図である。
【図２】実施形態のプリンタの斜視図である。
【図３】実施形態のプリンタのブロック図である。
【図４】実施形態のプリンタの内部構造を示す断面図である。
【図５】実施形態のプリンタが備える第２のカバーがオープンした様子を示す図である。
【図６】プリンタの内部構造を簡略化した図である。
【図７】エンジンブロックの一部を示す斜視図である。
【図８】カバーが開かれたプリンタを示す図である。
【図９】プリントヘッドユニットを側方から見た図である。
【図１０】プリンタからプリントヘッドユニットを取り外す様子を示す図である。
【図１１】プリンタからプリントヘッドユニットを取り外す様子を示す図である。
【図１２】プリンタにプリントヘッドユニットを装着する様子を示す図である。
【発明を実施するための形態】
【０００８】
以下、発明を実施するための形態について図面を参照しながら説明する。なお、図中、同一または同等の部分には同一の符号を付す。
【０００９】
図１は、実施形態のプリンタ１０を備える商品情報処理装置１を示す斜視図である。商品情報処理装置１は、例えば、ＰＯＳ（Point of sales）端末である。商品情報処理装置１は、各ストアに設置され、オペレータによって操作される。商品情報処理装置１は不図示のストアサーバ（ＰＯＳサーバ）とネットワークを介して接続されている。プリンタ１０は商品情報処理装置１に固定或いは内蔵されている。
【００１０】
なお、以下の説明には、Ｘ軸、Ｙ軸、及びＺ軸から構成される直交座標系を用いる。図中、矢印の指し示す方向がプラス方向である。Ｘ軸プラス方向が右方向であり、Ｘ軸マイナス方向が左方向である。また、Ｙ軸プラス方向が背面方向（後側）であり、Ｙ軸マイナス方向が正面方向（前側）である。また、Ｚ軸プラス方向が上方向であり、Ｚ軸マイナス方向が下方向である。正面とはオペレータが位置する側のことである。図１の例であれば、正面は白抜き矢印の方向である。
【００１１】
図２は、商品情報処理装置１からプリンタ１０を取り出したものである。プリンタ１０は、レシートを発行するためのレシートプリンタである。
【００１２】
プリンタ１０は、上部にカバー２１及びカバー２２を備える。カバー２１はトップカバーであり、カバー２２はフロントカバー（サブカバー）である。カバー２１及びカバー２２は、いずれも開閉可能である。カバー２１は、Ｘ軸方向と平行な軸２１ｆを中心として回転する開閉式カバーであり、カバー２２は、Ｘ軸方向と平行な軸２２ｆを中心として回転する開閉式カバーである。
【００１３】
プリンタ１０は、内部にロール紙ホルダーＨを備える。ロール紙ホルダーＨはカバー２１により覆われている。ユーザは、カバー２１を開いてロール紙ホルダーＨにロール紙ＰＲを格納する。ロール紙ＰＲは、連続紙Ｓが巻き回されたロール状の印字媒体である。連続紙Ｓは、帯状の用紙である。プリンタ１０は、ロール紙ＰＲから連続紙Ｓを取り出し、取引明細等の情報を印刷する。
【００１４】
プリンタ１０は、連続紙Ｓを排出するための排出口２０を備える。排出口２０は、カバー２１の前方側の端部と、カバー２２の後方側の端部と、により形成されている。情報が印刷された連続紙Ｓは、排出口２０から排出される。なお、図１及び図２に示した外観はあくまで一例であり、様々な変形が可能である。
【００１５】
図３は、プリンタ１０のブロック図である。プリンタ１０は、制御部１１と、通信インタフェース１２と、出力部１３と、カット部１４と、印刷部１５と、を備える。
【００１６】
制御部１１は、プロセッサ、ＦＰＧＡ（Field Programmable Gate Array）等の処理装置である。制御部１１は、プリンタ１０の制御手段として機能する。制御部１１は、プリンタ１０の各部を制御する。
【００１７】
通信インタフェース１２は、商品情報処理装置１の制御装置（例えば、プロセッサ）と通信する通信インタフェースである。通信インタフェース１２は、ＲＳ−２３２ｃ、シリアルＡＴＡ等のシリアルインタフェースであってもよいし、ＩＳＡ（Industrial Standard Architecture bus）、ＰＣＩ（Peripheral Component Interconnect）等のパラレルインタフェースであってもよい。通信インタフェース１２は、商品情報処理装置１から各種データを取得する。例えば、通信インタフェース１２は、商品情報処理装置１から、印刷部１５が連続紙Ｓに印刷する情報（例えば、取引明細等の取引情報）を取得する。
【００１８】
また、通信インタフェース１２は、制御部の制御に従って、商品情報処理装置１の制御装置に各種情報を送信する。商品情報処理装置１は、通信インタフェース１２を介して取得した情報をユーザに通知してもよい。通信インタフェース１２は、プリンタ１０の通知手段として機能する。
【００１９】
出力部１３は、ユーザに情報を通知するための出力装置である。出力部１３は、例えば、スピーカー、ブザー等の音響発生装置、或いはＬＥＤ（Light Emitting Diode）ランプ等の点灯装置である。勿論、出力部１３は音響発生装置及び点灯装置に限定されない。例えば、出力部１３は、液晶ディスプレイ（Liquid Crystal Display）、有機ＥＬディスプレイ(Organic Electroluminescence Display)等の表示装置であってもよい。出力部１３は、制御部１１の制御に基づいて、ユーザに対し各種情報を出力する。出力部１３は、プリンタ１０の通知手段として機能する。
【００２０】
図４は、プリンタ１０の内部構造を示す断面図である。プリンタ１０は、カバー２１及びカバー２２により覆われている。カバー２１は、プリンタ１０の上部を覆うトップカバーである。カバー２２は、プリンタ１０の前方上部を覆うフロントカバーである。カバー２１は排出口２０の後方に位置しており、カバー２２は、排出口２０を挟んでカバー２１の反対側に位置している。上述したように、本実施形態のプリンタ１０は、カバー２１のみならず、カバー２２も開閉可能である。図５は、カバー２２がオープンした様子を示す図である。
【００２１】
図６は、プリンタ１０の内部構造を簡略化した図である。上述したように、カバー２２は開閉可能である。カバー２２をオープンすると、排出口２０の一方の側（本実施形態の場合、後側）には、開口２３が形成される。ユーザは、開口２３から、ロール紙ホルダーＨ及びカット部１４にアクセス可能である。
【００２２】
カット部１４は、連続紙Ｓから印刷完了部分（例えば、レシートとなる部分）を切り離すためのカット機構である。カット部１４は、スライドカッターを使うスライド式カット機構であってもよいし、ローラカッターを使うローラ式カット機構であってもよい。図６には、カット部１４の一例として、スライド式カット機構が示されている。カット部１４は、可動刃１４ｂと、固定刃１４ａと、可動刃スライド機構１４ｃと、を備える。可動刃１４ｂは、可動刃スライド機構１４ｃに固定されている。固定刃１４ａは、エンジンブロック１００の上部に固定されている。
【００２３】
エンジンブロック１００は、プリンタ１０の印刷を担うアッシー（ASSY）である。図７は、エンジンブロック１００の一部を示す斜視図である。エンジンブロック１００は、プリンタ１０の各パーツを配置するための筐体を備える。筐体は、金属板１０１〜１０３で構成される。金属板１０１は、Ｙ軸方向にその平面を向けた状態で配置されており、金属板１０２及び金属板１０３は、Ｘ軸方向にその平面を向けた状態で配置されている。金属板１０１の上部には固定刃１４ａが固定されている。
【００２４】
金属板１０１には、弾性体１０５ａ、及び弾性体１０５ｂが固定されている。弾性体１０５ａ、１０５ｂは、それぞれ、プリントヘッドユニット１７をローラ１６に向けて押圧するバネである。また、金属板１０１には、被係止部１０６ａ、及び被係止部１０６ｂが設けられている。被係止部１０６ａ、１０６ｂは、プリントヘッドユニット１７の固定のために使用される。図７に示す被係止部１０６ａ、１０６ｂは、それぞれ、Ｙ軸プラス方向に向けて突出する矢印形の突起となっている。勿論、被係止部１０６ａ、１０６ｂの形状はこれに限定されない。ローラ１６及びプリントヘッドユニット１７については後述する。
【００２５】
エンジンブロック１００は、フラットケーブル１０４を備える。図７には図示が省略されているが、フラットケーブル１０４の一方の端部にはプリントヘッド１７ａが接続される。なお、エンジンブロック１００には、プリントヘッド１７ａのみならず、印刷部１５の構成全体が含まれていてもよい。このとき、エンジンブロック１００は、プリンタ１０のプリントエンジンとして機能する。
【００２６】
印刷部１５は、連続紙Ｓに取引明細等の各種情報を印字する印刷ユニットである。印刷部１５は、サーマル方式のプリントユニットである。印刷部１５は、図６に示すように、ローラ１６と、プリントヘッドユニット１７と、を備える。プリントヘッドユニット１７は、サーマルヘッドを備えるサーマル方式のプリントヘッドユニット（サーマルヘッドユニット）である。ローラ１６は、プリントヘッドユニット１７に対向配置されるプラテンローラである。ローラ１６は、用紙Ｓを搬送する搬送部（搬送手段）としても機能する。ローラ１６とプリントヘッドユニット１７は、連続紙Ｓの搬送路（以下、用紙搬送路という。）を挟んで対向している。ローラ１６及びプリントヘッドユニット１７は、いずれも着脱可能である。印刷部１５の上流には連続紙Ｓをプリントヘッドユニット１７に向けて案内する用紙ガイド１８が配置されている。ここで「上流」とは、連続紙Ｓの供給元（本実施形態の場合、ロール紙ホルダーＨ）に近い側のことをいう。印刷部１５は、制御部１１の制御に従って連続紙Ｓに取引情報を印字する。
【００２７】
なお、印刷部１５がレシートに印刷する情報は、取引明細等の取引情報に限られない。印刷部１５はレシートにバーコードを印刷してもよい。なお、「バーコード」という概念には、「一次元コード（狭義のバーコード）」のみならず、「二次元コード（二次元バーコード）」も含まれる。一次元コードは、ＵＰＣ(Universal Product Code)であってもよいし、ＣＯＤＥ３９であってもよい。二次元コードは、ＤＡＴＡ Ｍａｔｒｉｘであってもよいし、ＱＲコード(登録商標)であってもよい。
【００２８】
ローラ１６及び可動刃スライド機構１４ｃは、プリンタ１０から取り外し可能である。例えば、ローラ１６及び可動刃スライド機構１４ｃは、カバー２１と一体で開閉するフレームに複数のネジやＥリング等で取付されており、ユーザがこれらネジ等を外すことによって、ローラ１６及び可動刃スライド機構１４ｃはカバー２１と一体で開閉するフレームから取り外される。図８は、カバー２１と一体となったローラ１６及び可動刃スライド機構１４ｃがカバー２１とともに開いたプリンタ１０を示す図である。カバー２１は図８には図示されていない。プリントヘッドユニット１７は、開口２３からアクセス可能な状態となる。
【００２９】
プリンタ１０には、連続紙Ｓの幅方向（Ｘ軸方向）に平行にシャフト１９が配置されている。プリントヘッドユニット１７は、シャフト１９及び被係止部１０６ａ、１０６ｂに係止されることによって、プリンタ１０に固定される。図９は、プリントヘッドユニット１７を側方（Ｘ軸方向）から見た図である。プリントヘッドユニット１７は、プリントヘッド１７ａと、プリントヘッド１７ａをプリンタ１０に固定するための固定部材１７ｂと、を備える。プリントヘッド１７ａは、固定部材１７ｂに固定されている。固定部材１７ｂには、係止部１７ｂ１と、掛止部１７ｂ２と、が形成されている。
【００３０】
係止部１７ｂ１は、プリントヘッドユニット１７の一方の端部をプリンタ１０に係止するための部位である。本実施形態の場合、係止部１７ｂ１は、プリントヘッドユニット１７の下流側端部Ｅ１に位置している。係止部１７ｂ１は、プリントヘッドユニット１７の下流側端部Ｅ１をプリンタ１０に係止するために使用される。ここで、下流とは、排出口２０に近い側のことである。下流側端部Ｅ１は、プリントヘッドユニット１７がプリンタ１０に固定されたときに、用紙搬送方向の下流側に位置する。なお、用紙搬送方向とは、連続紙Ｓの搬送路に沿った方向のことをいう。
【００３１】
プリントヘッドユニット１７を係止できるのであれば、係止部１７ｂ１の構造は特定の構造に限定されない。本実施形態では、係止部１７ｂ１は用紙搬送方向の下流に向けて突出する突起となっている。図示されていないが、係止部１７ｂ１のＸ軸マイナス方向側には、係止部１７ｂ１と同じ形状の突起が形成されている。以下の説明では、この不図示の突起も含め、プリントヘッドユニット１７の一方の端部を係止するための突起を係止部１７ｂ１という。係止部１７ｂ１は、被係止部１０６ａ、１０６ｂに係止される。例えば、係止部１７ｂ１は被係止部１０６ａ、１０６ａの突起に引っ掛けられる。なお、係止部１７ｂ１は、他の部材を介して被係止部１０６ａ、１０６ｂに引っ掛けられてもよい。係止部１７ｂ１をプリンタ１０に係止する方法は、この方法に限定されず、既知の様々な方法を採用可能である。「係止」という概念には、「掛止」も含まれる。
【００３２】
掛止部１７ｂ２は、プリントヘッドユニット１７の一方の端部をプリンタ１０に掛止するための部位である。掛止とは、ある構造（例えば、シャフト）に引っ掛けて止めることをいう。本実施形態の場合、掛止部１７ｂ２は、端部Ｅ２に位置している。掛止部１７ｂ２は、プリントヘッドユニット１７の端部Ｅ２をプリンタ１０に掛止する。端部Ｅ２は、下流側端部Ｅ１の反対側に位置する端部である。
【００３３】
掛止部１７ｂ２は、連続紙Ｓの幅方向（シャフト１９の軸方向）から見て、用紙搬送路側に向けて開口したＵ字状フックである。掛止部１７ｂ２は、シャフト１９に引っ掛けられる。掛止部１７ｂ２を構成するＵ字の開口はシャフト１９の径より僅かに大きい。ユーザは、シャフト１９にこのＵ字部分を引っ掛ける。また、Ｕ字の底部の曲率はシャフト１９の曲率より僅かに大きい。そのため、掛止部１７ｂ２は、シャフト１９に引っ掛けられると、シャフト１９に回転可能な状態で嵌合する。
【００３４】
図１０は、プリンタ１０の内部構造を示す図である。図１０に示すプリンタ１０は、図８のプリンタ１０と同様に、ローラ１６及び可動刃スライド機構１４ｃがカバー２１と一体で開いている。なお、プリンタ１０の内部構造を視認容易にするため、図１０では、一部構成の図示を省略している。
【００３５】
図１０では、プリントヘッドユニット１７はプリンタ１０の内部に固定された状態となっている。係止部１７ｂ１は、部材を介して被係止部１０６ａに係止されており、掛止部１７ｂ２はシャフト１９に掛止されている。なお、図１０の例では、係止部１７ｂ１は間接的に被係止部１０６ａに係止されているが、被係止部１０６ａに直接的に係止されていてもよい。勿論、係止部１７ｂ１は、被係止部１０６ａ、１０６ｂ以外の部材に係止されていてもよい。プリントヘッドユニット１７は、下流側端部Ｅ１が排出口２０の方向Ｄ１を向いた状態でプリンタ１０に固定される。
【００３６】
プリントヘッドユニット１７の上流には、プリントヘッドユニット１７に向けて連続紙Ｓをガイドする用紙ガイド１８が配置されている。用紙ガイド１８は、プリントヘッドユニット１７の用紙搬送路側に位置している。プリントヘッドユニット１７は、Ｘ軸に平行な軸Ｃを中心に回動可能である。用紙ガイド１８は、回転することによって、プリントヘッドユニット１７の手前から退避する。
【００３７】
次に、プリントヘッドユニット１７を取り外す方法について説明する。図１１は、プリンタ１０からプリントヘッドユニット１７を取り外す様子を示す図である。
【００３８】
まず、ユーザは、用紙ガイド１８を図面時計回りに回転させる。これにより、用紙ガイド１８はプリントヘッドユニット１７の手前から退避する。この状態で、ユーザが係止部１７ｂ１の係止を解除すると、プリントヘッドユニット１７は、弾性体１０５ａ、１０５ｂに押されてシャフト１９を軸に図面時計回りに転回する。これによりプリントヘッドユニット１７は、用紙ガイド１８のあった位置に向けて傾倒する。傾倒の結果、プリントヘッドユニット１７の下流側端部Ｅ１は開口２３の方向Ｄ２を向く。掛止部１７ｂ２は、シャフト１９に引っ掛けられているだけであるので、ユーザは開口２３からプリントヘッドユニット１７を容易に抜き取ることができる。
【００３９】
次に、プリントヘッドユニット１７の装着方法について説明する。図１２は、プリンタ１０にプリントヘッドユニット１７を装着する様子を示す図である。
【００４０】
プリンタ１０の内部にはプリントヘッドユニット１７の挿入をガイドする挿入ガイド２４が設けられている。挿入ガイド２４は、プリントヘッドユニット１７が装着される場所の用紙搬送方向側に位置している。挿入ガイド２４には、プリントヘッドユニット１７の挿入方向Ｄ３と略平行な傾斜２４ａが設けられている。挿入方向Ｄ３は方向Ｄ２の反対方向である。ユーザは、端部Ｅ２を先頭にしてプリントヘッドユニット１７をプリンタ１０内部に挿入する。そして、ユーザは、プリントヘッドユニット１７を傾斜２４ａに沿って挿入し、その後、掛止部１７ｂ２をシャフト１９に掛止する。掛止部１７ｂ２を掛止した後、ユーザは、シャフト１９を軸にプリントヘッドユニット１７を図面反時計回りに回転させる。そして、ユーザは、係止部１７ｂ１を被係止部１０６ａに係止する。係止部１７ｂ１の係止により、プリントヘッドユニット１７の装着が完了する。
【００４１】
本実施形態によれば、プリントヘッドユニット１７は、係止部１７ｂ１の係止が解除された場合に、下流側端部Ｅ１が開口２３の方向Ｄ２を向くようシャフト１９を軸に転回する。掛止部１７ｂ２は、シャフト１９に引っ掛けられているだけであるので、ユーザは開口２３からプリントヘッドユニット１７を容易に抜き取ることができる。
【００４２】
また、プリンタ１０にはプリントヘッドユニット１７の開口２３からの挿入をガイドする挿入ガイド２４が設けられているので、プリントヘッドユニット１７の装着も容易である。
【００４３】
また、用紙ガイド１８は、プリントヘッドユニット１７が傾倒する場所から退避するよう構成されている。そのため、用紙ガイド１８がプリントヘッドユニット１７の交換の邪魔になることはない。
【００４４】
また、プリンタ１０はカバー２１に加えてカバー２２もオープンするよう構成されている。カバー２１とカバー２２の双方をオープンすることによって、プリントヘッドユニット１７の交換はさらに容易になる。
【００４５】
また、プリンタ１０はバーコードを印刷するよう構成されている。バーコードは印刷状態が悪いとすぐに読み取れなくなる。特に二次元バーコードは、僅かなドット欠けでもすぐに読み取れなくなる。そのため、ユーザは、プリントヘッド１７ａの劣化にはシビアにならざるを得ない。本実施形態のプリンタ１０は、プリントヘッドユニット１７の交換が容易なので、プリントヘッド１７ａの劣化による、印刷品質低下の恐れは小さい。
【００４６】
上述の各実施形態はそれぞれ一例を示したものであり、種々の変更及び応用が可能である。
【００４７】
例えば、上述の実施形態では、プリントヘッドユニット１７は、係止部１７ｂ１の係止が解除された場合には、弾性体１０５ａ、１０５ｂに押されてシャフト１９を軸に自動的に転回するものとした。しかしながら、プリントヘッドユニット１７は、自動的に転回しなくてもよい。プリントヘッドユニット１７は、ユーザの手によって転回してもよい。
【００４８】
また、上述の実施形態では、プリントヘッドユニット１７の下流側端部Ｅ１は、プリントヘッドユニット１７がプリンタ１０に固定された場合に、排出口２０の方向Ｄ１を向くものとした。しかしながら、下流側端部Ｅ１は、必ずしも排出口２０の方向Ｄ１の方向を向いていなくてもよい。例えば、下流側端部Ｅ１は、プリントヘッドユニット１７がプリンタ１０に固定された場合に、カバー２２のある方向に向いていてもよい。
【００４９】
また、上述の実施形態では、印刷部１５はサーマル方式のプリントユニットであるものとしたが、印刷部１５はサーマル方式のプリントユニットに限定されない。例えば、印刷部１５は、ドットインパクト方式、インクジェット方式、或いは電子写真方式のプリントユニットであってもよい。
【００５０】
また、上述の実施形態では、プリンタ１０は商品情報処理装置１に固定或いは内蔵されるものとしたが、プリンタ１０は商品情報処理装置１に外付できるよう構成されていてもよい。例えば、プリンタ１０はＵＳＢ（Universal Serial Bus）、ＩＥＥＥ１３９４等の等の接続インタフェースを備え、ＵＳＢケーブル等の通信ケーブルで商品情報処理装置１に接続できるよう構成されていてもよい。
【００５１】
また、プリンタ１０は、ユーザインタフェースを備え、商品情報処理装置１から独立して単体動作できるよう構成されていてもよい。また、プリンタ１０は、パーソナルコンピュータに接続され、パーソナルコンピュータの指示に基づいて動作するよう構成されていてもよい。また、上述の実施形態では、プリンタ１０は出力部１３を備えるものとしたが、プリンタ１０は出力部１３を備えていなくてもよい。
【００５２】
また、上述の実施形態では、商品情報処理装置１は、ＰＯＳ端末であるものとしたが、商品情報処理装置１はＰＯＳ端末に限定されない。例えば、商品情報処理装置１は、ネットワーク接続機能を持たない単体動作型のキャッシュレジスターであってもよい。
【００５３】
また、上述の実施形態では、プリンタ１０はＰＯＳ端末或いは単体動作型のキャッシュレジスターに設置されるものとしたが、プリンタ１０が設置される装置はこれらに限定されない。例えば、プリンタ１０が設置される装置は、金融情報処理装置であってもよい。金融情報処理装置は、銀行のＡＴＭ（Automated Teller Machine）であってもよい。この場合、商品情報処理装置１は金融情報処理装置１と言い換えることができる。勿論、プリンタ１０が設置される装置は、商品情報処理装置および金融情報処理装置、以外の装置であってもよい。
【００５４】
また、上述の実施形態では、商品情報処理装置１或いは金融情報処理装置１は、プリンタ１０が固定或いは内蔵されるものとした。しかし、商品情報処理装置１或いは金融情報処理装置１は、プリンタ１０を介することなく、直接、連続紙Ｓに印刷できるよう構成されていてもよい。例えば、商品情報処理装置１或いは金融情報処理装置１は、制御部１１と、通信インタフェース１２と、出力部１３と、カット部１４と、印刷部１５と、を備えていてもよい。制御部１１は商品情報処理装置１或いは金融情報処理装置１の各部を制御する制御装置（例えば、プロセッサ）と共通であってもよい。商品情報処理装置１或いは金融情報処理装置１をプリンタ１０そのものとみなすことも可能である。
【００５５】
また、上述の実施形態では、プリンタ１０はレシートプリンタであるものとして説明したが、プリンタ１０はレシートプリンタに限定されない。例えば、プリンタ１０はラベルプリンタであってもよい。このとき、プリンタ１０に格納されるロール紙ＰＲ１は、ラベル台紙が巻き回された、ラベル用のロール紙であってもよい。ラベル台紙も連続紙の一種である。
【００５６】
なお、プリンタ１０は、ジャーナルプリンタ、ラベルプリンタ以外のプリンタであってもよい。例えば、プリンタ１０は、レシートや銀行のステートメントに印刷を行うプリンタであってもよいし、ジャーナル情報を印刷するジャーナルプリンタであってもよい。プリンタ１０が連続紙Ｓに印刷する情報は取引明細等の取引情報に限定されず、他の情報であってもよい。
【００５７】
また、連続紙Ｓは、ロール紙から取り出された用紙に限定されない。連続紙Ｓは、例えば、折り畳み連続紙であってもよい。また、プリンタ１０は、連続紙以外の用紙に印刷するよう構成されていてもよい。例えば、プリンタ１０は、Ａ４用紙、Ｂ５用紙等の普通紙に印刷するよう構成されていてもよい。上述の実施形態で述べた連続紙Ｓは、用紙Ｓと言い換えることが可能である。
【００５８】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【００５９】
上述の実施形態は以下の付記のようにも記載され得る。もちろん、上述の実施形態は、以下の付記のみに限定されるものではない。
【００６０】
（付記１）
連続紙に印刷するプリンタであって、
前記連続紙の幅方向に平行に配置されたシャフトと、
前記プリンタに着脱可能に固定されるプリントヘッドユニットと、を備え、
前記プリントヘッドユニットは、前記プリンタの内部に係止される係止部と、前記シャフトに引っ掛けられる掛止部と、を備え、前記係止部の係止が解除された場合には、用紙搬送方向の下流側端部の向きを変えるように前記シャフトを軸に転回可能である、
プリンタ。
【００６１】
（付記２）
前記連続紙を排出する排出口と、
前記排出口の一方の側に位置する開口を覆う開閉可能なカバーと、を備え、
前記プリントヘッドユニットは、前記下流側端部が前記排出口の方向を向くよう固定され、前記係止部の係止が解除された場合には、前記下流側端部が前記開口の方向を向くよう前記シャフトを軸に転回する、
付記１に記載のプリンタ。
【００６２】
（付記３）
前記開口からの前記プリントヘッドユニットの挿入をガイドする挿入ガイド、を備える、
付記２に記載のプリンタ。
【００６３】
（付記４）
前記掛止部は、用紙搬送路側に開口したＵ字状フックである、
付記１乃至３のいずれか１つに記載のプリンタ。
【００６４】
（付記５）
用紙搬送路を挟んで前記ヘッドユニットと対向する位置に配置されたローラ、を備え、
前記プリントヘッドユニットは、前記係止部の係止が解除された場合には、前記ローラの設置位置に向け傾倒し、
前記ローラは着脱可能である、
付記１乃至４のいずれか１つに記載のプリンタ。
【００６５】
（付記６）
前記プリントヘッドユニットに向けて前記連続紙をガイドする用紙ガイド、を備え、
前記プリントヘッドユニットは、前記係止部の係止が解除された場合には、前記用紙ガイドの設置位置に向け傾倒し、
前記用紙ガイドは、前記プリントヘッドユニットの傾倒場所から退避するよう回動可能である、
付記１乃至５のいずれか１つに記載のプリンタ。
【００６６】
（付記７）
前記プリントヘッドユニットは、サーマルヘッドが固定されたサーマルヘッドユニットである、
付記１乃至６のいずれか１つに記載のプリンタ。
【００６７】
（付記８）
前記用紙にバーコードを含んだ情報を印刷するよう前記プリントヘッドユニットを制御する制御手段、を備える、
付記１乃至７のいずれか１つに記載のプリンタ。
【００６８】
（付記９）
前記バーコードは、二次元バーコードである、
付記８に記載のプリンタ。
【００６９】
（付記１０）
付記１乃至９のいずれか１つに記載のプリンタを備える、
商品情報処理装置。
【００７０】
（付記１１）
付記１乃至９のいずれか１つに記載のプリンタを備える、
金融情報処理装置。
【００７１】
（付記１２）
ラベル台紙に貼付されたラベルにバーコードを印刷するラベルプリンタであって、
前記ラベル台紙の幅方向に平行に配置されたシャフトと、
着脱可能に固定されるプリントヘッドユニットと、を備え、
前記プリントヘッドユニットは、前記プリンタの内部に係止される係止部と、前記シャフトに引っ掛けられる掛止部と、を備え、前記係止部の係止が解除された場合には、用紙搬送方向の下流側端部の向きを変えるように前記シャフトを軸に転回可能である、
ラベルプリンタ。
【００７２】
（付記１３）
用紙に印刷するプリンタであって、
前記用紙の幅方向に平行に配置されたシャフトと、
前記プリンタに着脱可能に固定されるプリントヘッドユニットと、を備え、
前記プリントヘッドユニットは、前記プリンタの内部に係止される係止部と、前記シャフトに引っ掛けられる掛止部と、を備え、前記係止部の係止が解除された場合には、用紙搬送方向の下流側端部の向きを変えるように前記シャフトを軸に転回可能である、
プリンタ。
【符号の説明】
【００７３】
１…商品情報処理装置（金融情報処理装置）
１０…プリンタ
１１…制御部
１２…通信インタフェース
１３…出力部
１４…カット部
１４ａ…固定刃
１４ｂ…可動刃
１４ｃ…可動刃スライド機構
１５…印刷部
１６…ローラ
１７…プリントヘッドユニット
１７ａ…プリントヘッド
１７ｂ…固定部材
１７ｂ１…係止部
１７ｂ２…掛止部
１８…用紙ガイド
１９…シャフト
２０…排出口
２１、２２…カバー
２１ｆ、２２ｆ…軸
２３…開口
２４…挿入ガイド
２４ａ…傾斜
１００…エンジンブロック
１０１、１０２、１０３…金属板
１０４…フラットケーブル
１０５ａ、１０５ｂ…弾性体
１０６ａ、１０６ｂ…被係止部
Ｅ１…下流側端部
Ｅ２…端部
Ｈ…ロール紙ホルダー
ＰＲ…ロール紙
Ｓ…連続紙
【図１】
2018118399.tif 000003
【図２】
2018118399.tif 000004
【図３】
2018118399.tif 000005
【図４】
2018118399.tif 000006
【図５】
2018118399.tif 000007
【図６】
2018118399.tif 000008
【図７】
2018118399.tif 000009
【図８】
2018118399.tif 000010
【図９】
2018118399.tif 000011
【図１０】
2018118399.tif 000012
【図１１】
2018118399.tif 000013
【図１２】
2018118399.tif 000014